(57)【要約】【課題】従来のものより短時間で、隣接する周波数帯域を用いてデータの送信を行う他の無線通信装置との電波干渉を精度よく検出することができる無線受信装置を提供すること。【解決手段】マルチキャリア伝送方式で送信されたデータを受信する無線受信装置であって、データサブキャリアの一部における受信電力を測定するデータサブキャリア受信電力測定部１４と、ガードサブキャリアにおける受信電力を測定するガードサブキャリア受信電力測定部１５と、データサブキャリア受信電力測定部１４によって測定された受信電力とガードサブキャリア受信電力測定部１５によって測定された受信電力とを比較するサブキャリア受信電力比較部１６と、サブキャリア受信電力比較部１６による比較結果に基づいて、受信対象の周波数帯のガードサブキャリアに隣接する周波数帯を用いた無線通信の干渉波を検出する干渉波検出部１７とを備える。【選択図】図１
2010141557.tif 000002
【特許請求の範囲】
【請求項１】
データサブキャリアおよびガードサブキャリアを含む複数のサブキャリアを一定の周波数間隔で配置したマルチキャリア伝送方式で送信されたデータを受信する無線受信装置であって、
前記データサブキャリアの一部における受信電力を測定するデータサブキャリア受信電力測定部と、
前記ガードサブキャリアにおける受信電力を測定するガードサブキャリア受信電力測定部と、
前記データサブキャリア受信電力測定部によって測定された受信電力と前記ガードサブキャリア受信電力測定部によって測定された受信電力とを比較するサブキャリア受信電力比較部と、
前記サブキャリア受信電力比較部による比較結果に基づいて、受信対象の周波数帯のガードサブキャリアに隣接する周波数帯を用いた無線通信の干渉波を検出する干渉波検出部と、を備えたことを特徴とする無線受信装置。
【請求項２】
前記干渉波検出部は、前記サブキャリア受信電力比較部による比較結果と予め定められた閾値とを比較することにより、前記受信対象の周波数帯のガードサブキャリアに隣接する周波数帯を用いた無線通信の干渉波を検出することを特徴とする請求項１に記載の無線受信装置。
【請求項３】
前記サブキャリア受信電力比較部による比較結果を蓄積する比較結果蓄積部を備え、
前記干渉波検出部は、前記比較結果蓄積部に蓄積された比較結果に基づいて、前記受信対象の周波数帯のガードサブキャリアに隣接する周波数帯を用いた無線通信の干渉波を検出することを特徴とする請求項１に記載の無線受信装置。
【請求項４】
前記干渉波検出部は、前記比較結果蓄積部に蓄積された比較結果が予め定められた第１の閾値より大きくなった回数が予め定められた第２の閾値を超えたか否かに基づいて、前記受信対象の周波数帯のガードサブキャリアに隣接する周波数帯を用いた無線通信の干渉波を検出することを特徴とする請求項３に記載の無線受信装置。
【請求項５】
前記干渉波検出部は、予め定められたシンボル数の期間で前記比較結果蓄積部に蓄積された比較結果が前記第１の閾値より大きくなった回数が前記第２の閾値を超えたか否かを判断することを特徴とする請求項４に記載の無線受信装置。
【請求項６】
前記干渉波検出部は、前記比較結果蓄積部に蓄積された比較結果の平均値が予め定められた閾値より大きくなったか否かに基づいて、前記受信対象の周波数帯のガードサブキャリアに隣接する周波数帯を用いた無線通信の干渉波を検出することを特徴とする請求項３に記載の無線受信装置。
【発明の詳細な説明】
【技術分野】
【０００１】
本発明は、無線受信装置に関し、特に、マルチキャリア伝送方式を用いてデータを受信する無線受信装置に関する。
【背景技術】
【０００２】
近年、ＰＡＮ（Personal Area Network）と言われる近距離無線通信では、パソコンやＡＶ（Audio and Visual）機器間において、映像や音の高品質な通信や大量なデータのやりとりが実現できる技術として、ワイヤレスＵＳＢ（Universal Serial Bus）が注目されている。
【０００３】
このワイヤレスＵＳＢには、無線通信方式として、ＷｉＭｅｄｉａ  Ａｌｌｉａｎｃｅが推進するＵＷＢ方式が採用されている。ＵＷＢ方式は、低消費電力でありながら、現在普及しているＩＥＥＥ（Institute of Electrical and Electronics Engineers, Inc.）８０２．１１ａ／ｂ／ｇをはるかに上回る高速通信が可能であることから、オフィスでの効率化や生活の利便性向上のために、様々な機器に搭載されていくことが期待されている。
【０００４】
ＵＷＢの中でもＭＢ−ＯＦＤＭ（Multi Band - Orthogonal Frequency Division Multiplexing）方式では、図６に示すように、３．１〜１０．６ＧＨｚ帯域を５２８ＭＨｚ帯域で１４バンドに分割し、低域のバンドからバンド＃１、バンド＃２と番号が付けられている。これらバンドを３つまたは２つにグループ化したものをバンドグループという。
【０００５】
例えば、バンドグループ＃１で通信を行う場合には、ホッピングパターンによって、図７に示すように１つのバンドのみで通信を行ったり、図８に示すように３つのバンドを用いて通信を行ったりする。
【０００６】
ＷｉＭｅｄｉａ  Ａｌｌｉａｎｃｅで策定された仕様書である"MultiBand OFDM Physical Layer Specification Version1.2"によれば、ＭＢ−ＯＦＤＭ信号は、帯域幅５２８ＭＨｚで１２８個のサブキャリアを持つ。
【０００７】
これらのサブキャリアのうち、６個はヌルサブキャリアが割り当てられ、１０個はガードサブキャリアが割り当てられ、１２個はパイロットサブキャリアが割り当てられ、残りの１００個は、データを伝送するためのデータサブキャリアが割り当てられている。
【０００８】
図９は、各サブキャリアの周波数領域における配置を示し、図１０は、図９における周波数領域の低域側と高域側を拡大した状態を示している。なお、図１０において、中心周波数付近は省略している。
【０００９】
図１０に示すように、ガードサブキャリアは、最も近い外側のデータサブキャリアからデータがコピーされる。すなわち、送信時には、一部のデータサブキャリアとガードサブキャリアとは全く同じデータになる。
【００１０】
しかし、ガードサブキャリアは、周波数領域上において、より外側に位置するため、送受信フィルタの影響や隣接バンドの影響を受けやすいため、受信特性が悪化しやすい。このため、ガードサブキャリアは、復調処理の途中で捨てられることが多い。
【００１１】
図１１は、無線受信装置がバンド＃２で受信しているときの受信スペクトラムを示している。図１１においては、バンド＃２に隣接するバンド＃３で他の無線通信装置がデータの送受信を行っているためにバンド＃３にも受信信号が存在する。
【００１２】
また、図１１においては、バンド＃３の受信信号の強度が大きく、バンド＃３の受信信号スペクトラムの肩がバンド＃２の信号スペクトラムにかかり、バンド＃２の高域側のサブキャリアの特性を悪化させている。
【００１３】
このような場合には、高域側にあるガードサブキャリアは、コピー元であるデータサブキャリアの一部よりもバンド＃３により近く、バンド＃３の受信信号によるノイズがより多く加算されるため、受信電力が大きくなり、特性が悪化する。
【００１４】
オフィスや公衆における無線ＬＡＮ（Local Area Network）のアクセスポイントは、多くの場合、専任のネットワーク管理者によって、あらかじめ近隣のアクセスポイントと電波干渉をしないように、適切なホッピングパターンで適切な場所に設定される。
【００１５】
しかしながら、ＰＡＮのような近距離無線通信では専任のネットワーク管理者を置くことがないため、近隣の無線装置との電波干渉を考慮したホッピングパターンを設定することができない。さらに、近距離無線通信は、様々な無線装置間で行われているため、刻一刻と変化する電波状況に対応しなければならない。
【００１６】
したがって、ワイヤレスＵＳＢでは、無線受信装置がすばやく電波干渉を検出し、検出結果を受信処理に反映させることが要求されている。このような、電波干渉を検出するものとして、パイロットサブキャリアとガードサブキャリアとの総電力や相関値を用いるものがある（例えば、特許文献１参照）。
【特許文献１】国際公開第２００６／０４３３１２号パンフレット
【発明の開示】
【発明が解決しようとする課題】
【００１７】
しかしながら、上述した従来の技術においては、パイロットサブキャリアの総電力や相関値を用いて検出を行っているため、電波干渉として検出した結果が、フェージング、または、無線送信装置が遠距離にあったり、無線送信装置の送信電力が低かったりすることによる電波の劣化によるものなのか、隣接する周波数帯域を用いてデータの送信を行う他の無線通信装置との電波干渉によるものなのかを判断するために時間がかかるという課題があった。
【００１８】
さらに、上述した従来の技術においては、電波干渉として検出した結果が、同じ周波数帯域を用いてデータの送信を行う他の無線通信装置との衝突によるものなのか、隣接する周波数帯域を用いてデータの送信を行う他の無線通信装置との電波干渉によるものなのかを判別できず、電波干渉を精度よく検出できないという課題があった。
【００１９】
本発明は、このような従来の課題を解決するためになされたもので、従来のものより短時間で、隣接する周波数帯域を用いてデータの送信を行う他の無線通信装置との電波干渉を精度よく検出することができる無線受信装置を提供することを目的とする。
【課題を解決するための手段】
【００２０】
本発明の無線受信装置は、データサブキャリアおよびガードサブキャリアを含む複数のサブキャリアを一定の周波数間隔で配置したマルチキャリア伝送方式で送信されたデータを受信する無線受信装置であって、前記データサブキャリアの一部における受信電力を測定するデータサブキャリア受信電力測定部と、前記ガードサブキャリアにおける受信電力を測定するガードサブキャリア受信電力測定部と、前記データサブキャリア受信電力測定部によって測定された受信電力と前記ガードサブキャリア受信電力測定部によって測定された受信電力とを比較するサブキャリア受信電力比較部と、前記サブキャリア受信電力比較部による比較結果に基づいて、受信対象の周波数帯のガードサブキャリアに隣接する周波数帯を用いた無線通信の干渉波を検出する干渉波検出部と、を備えた構成を有している。
【００２１】
この構成により、本発明の無線受信装置は、データサブキャリアの一部における受信電力と、ガードサブキャリアにおける受信電力との比較結果に基づいて、受信対象の周波数帯のガードサブキャリアに隣接する周波数帯を用いた無線通信の干渉波を検出するため、従来のものより短時間で、隣接する周波数帯域を用いてデータの送信を行う他の無線通信装置との電波干渉を精度よく検出することができる。
【００２２】
なお、前記干渉波検出部は、前記サブキャリア受信電力比較部による比較結果と予め定められた閾値とを比較することにより、前記受信対象の周波数帯のガードサブキャリアに隣接する周波数帯を用いた無線通信の干渉波を検出するようにしてもよい。
【００２３】
この構成により、本発明の無線受信装置は、閾値を設けることにより、隣接する周波数帯域を用いてデータの送信を行う他の無線通信装置との電波干渉をノイズによって誤検出してしまうことを防止することができる。
【００２４】
また、前記サブキャリア受信電力比較部による比較結果を蓄積する比較結果蓄積部を備え、前記干渉波検出部は、前記比較結果蓄積部に蓄積された比較結果に基づいて、前記受信対象の周波数帯のガードサブキャリアに隣接する周波数帯を用いた無線通信の干渉波を検出するようにしてもよい。
【００２５】
この構成により、本発明の無線受信装置は、データサブキャリアの一部における受信電力と、ガードサブキャリアにおける受信電力との比較結果を蓄積し、蓄積した比較結果に基づいて、受信対象の周波数帯のガードサブキャリアに隣接する周波数帯を用いた無線通信の干渉波を検出するため、隣接する周波数帯域を用いてデータの送信を行う他の無線通信装置との電波干渉をノイズやフェージングの影響によって誤検出してしまうことを防止することができる。
【００２６】
例えば、前記干渉波検出部は、前記比較結果蓄積部に蓄積された比較結果が予め定められた第１の閾値より大きくなった回数が予め定められた第２の閾値を超えたか否かに基づいて、前記受信対象の周波数帯のガードサブキャリアに隣接する周波数帯を用いた無線通信の干渉波を検出するようにしてもよい。
【００２７】
さらに、前記干渉波検出部は、予め定められたシンボル数の期間で前記比較結果蓄積部に蓄積された比較結果が前記第１の閾値より大きくなった回数が前記第２の閾値を超えたか否かを判断するようにしてもよい。
【００２８】
また、例えば、前記干渉波検出部は、前記比較結果蓄積部に蓄積された比較結果の平均値が予め定められた閾値より大きくなったか否かに基づいて、前記受信対象の周波数帯のガードサブキャリアに隣接する周波数帯を用いた無線通信の干渉波を検出するようにしてもよい。
【発明の効果】
【００２９】
本発明は、従来のものより短時間で、隣接する周波数帯域を用いてデータの送信を行う他の無線通信装置との電波干渉を精度よく検出することができる無線受信装置を提供することができる。
【発明を実施するための最良の形態】
【００３０】
以下、本発明の実施の形態について、図面を参照して説明する。
【００３１】
（第１の実施の形態）
図１に示すように、本発明の第１の実施の形態としての無線受信装置１は、アンテナ１０と、アンテナ１０からＲＦ（Radio Frequency）信号を受信しベースバンド信号に変換するＲＦ部１１と、ベースバンド信号をディジタル信号に変換するアナログディジタル変換部（以下、「ＡＤＣ」という。）部１２と、ベースバンド信号を処理するベースバンド部１３と、ベースバンド信号から得られる複数のサブキャリアのうち一部のデータサブキャリアにおける受信電力を測定するデータサブキャリア受信電力測定部１４と、複数のサブキャリアのうちガードサブキャリアにおける受信電力を測定するガードサブキャリア受信電力測定部１５と、データサブキャリア受信電力測定部１４によって測定された受信電力とガードサブキャリア受信電力測定部１５によって測定された受信電力とを比較するサブキャリア受信電力比較部１６と、サブキャリア受信電力比較部１６による比較結果に基づいて、受信対象の周波数帯のガードサブキャリアに隣接する周波数帯を用いた無線通信の干渉波を検出する干渉波検出部１７とを備えている。
【００３２】
なお、図１において、本発明に係る主な構成要素が示されており、フィルタ等の本発明との関係が薄い構成要素については、図示が省略されている。
【００３３】
ＲＦ部１１は、アンテナ１０を介して、不図示の無線送信装置により変調され送出されたＲＦ信号を受信し、ゲイン調整を行いながらＲＦ信号を増幅し、Ｉ信号およびＱ信号からなるベースバンド信号に変換するようになっている。
【００３４】
なお、本実施の形態において、ＲＦ部１１は、複数のサブキャリアを所定の周波数間隔で配置したマルチキャリア伝送方式で送信されたＭＢ−ＯＦＤＭ信号を受信するものとして説明する。
【００３５】
ＡＤＣ１２は、ＲＦ部１１によって変換されたアナログのベースバンド信号をディジタルのベースバンド信号に変換するようになっている。
【００３６】
ベースバンド部１３は、ディジタルのベースバンド信号をシンボル毎に周波数ドメインの複数のサブキャリアに変換するＦＦＴ（Fast Fourier Transform）部２０と、ＦＦＴ部２０により変換された各サブキャリアを復調する復調部２１とを備え、復調部２１の出力信号は、図示しないＭＡＣ（Media Access Control）部等の上位レイヤへと渡される。
【００３７】
データサブキャリア受信電力測定部１４は、ＦＦＴ部２０により変換された複数のサブキャリアのうち、低域側および高域側の一部のデータサブキャリアにおける受信電力を測定するようになっている。
【００３８】
具体的には、データサブキャリア受信電力測定部１４は、低域側のデータサブキャリア、すなわち、低域側のガードサブキャリアのコピー元（図１０参照）となったデータサブキャリアにおける受信電力ＰＤＬを測定するようになっている。
【００３９】
また、データサブキャリア受信電力測定部１４は、高域側のデータサブキャリア、すなわち、高域側のガードサブキャリアのコピー元（図１０参照）となったデータサブキャリアにおける受信電力ＰＤＨを測定するようになっている。
【００４０】
ガードサブキャリア受信電力測定部１５は、ＦＦＴ部２０により変換された複数のサブキャリアのうち、低域側および高域側のガードサブキャリアにおける受信電力を測定するようになっている。
【００４１】
具体的には、ガードサブキャリア受信電力測定部１５は、低域側のガードサブキャリア、すなわち、低域側のデータサブキャリアのコピー先（図１０参照）となったガードサブキャリアにおける受信電力ＰＧＬを測定するようになっている。
【００４２】
また、ガードサブキャリア受信電力測定部１５は、高域側のガードサブキャリア、すなわち、高域側のデータサブキャリアのコピー先（図１０参照）となったガードサブキャリアにおける受信電力ＰＧＨを測定するようになっている。
【００４３】
サブキャリア受信電力比較部１６は、データサブキャリア受信電力測定部１４によって測定された低域側のデータサブキャリアにおける受信電力ＰＤＬと、ガードサブキャリア受信電力測定部１５によって測定された低域側のガードサブキャリアの受信電力ＰＧＬとを比較し、第１の比較結果としてＲＬ＝ＰＧＬ／ＰＤＬを算出するようになっている。
【００４４】
また、サブキャリア受信電力比較部１６は、データサブキャリア受信電力測定部１４によって測定された高域側のデータサブキャリアにおける受信電力ＰＤＨと、ガードサブキャリア受信電力測定部１５によって測定された高域側のガードサブキャリアの受信電力ＰＧＨとを比較し、第２の比較結果としてＲＨ＝ＰＧＨ／ＰＤＨを算出するようになっている。
【００４５】
干渉波検出部１７は、第１および第２の各比較結果ＲＬ、ＲＨを予め定められた閾値ＴＨと比較することによって、受信対象の周波数帯のガードサブキャリアに隣接する周波数帯を用いた無線通信の干渉波を検出するようになっている。なお、本実施の形態において、閾値ＴＨは、１．５とする。
【００４６】
具体的には、干渉波検出部１７は、第１の比較結果ＲＬが閾値ＴＨよりも大きいと判断した場合には、低域側に干渉波があると判断し、第１の比較結果ＲＬが閾値ＴＨよりも大きくないと判断した場合には、低域側に干渉波がないと判断するようになっている。
【００４７】
また、干渉波検出部１７は、第２の比較結果ＲＨが閾値ＴＨよりも大きいと判断した場合には、高域側に干渉波があると判断し、第２の比較結果ＲＨが閾値ＴＨよりも大きくないと判断した場合には、高域側に干渉波がないと判断するようになっている。
【００４８】
干渉波検出部１７は、干渉波があると判断した場合には、復調部２１または上位レイヤに対して、干渉波を回避させる干渉波回避処理を実行するようになっている。
【００４９】
干渉波回避処理の一例として、干渉波検出部１７は、低域側および高域側の何れか一方に干渉波があると判断した場合には、復調部２１に対して、復調処理を電波干渉に強いものに切り換えるよう要求するようになっている。一方で、低域側および高域側の双方に干渉波があると判断した場合には、干渉波検出部１７は、上位レイヤに対して、ホッピングパターンを他のものに切り換えるよう要求するようになっている。
【００５０】
以上のように構成された無線受信装置１について図２を用いてその動作を説明する。
【００５１】
まず、アンテナ１０を介して、ＲＦ信号がＲＦ部１１に受信されると（ステップＳ１）、ＲＦ信号がＲＦ部１１によって増幅され、Ｉ信号およびＱ信号からなるベースバンド信号に変換される（ステップＳ２）。このベースバンド信号は、ＡＤＣ１２によってディジタルの信号に変換され、ＦＦＴ部２０によってシンボル毎に複数のサブキャリアに変換される（ステップＳ３）。
【００５２】
この複数のサブキャリアのうち、一部のデータサブキャリアにおける受信電力がデータサブキャリア受信電力測定部１４によって測定される一方で、ガードサブキャリアにおける受信電力がガードサブキャリア受信電力測定部１５によって測定される（ステップＳ４）。
【００５３】
次に、データサブキャリア受信電力測定部１４によって測定された受信電力と、ガードサブキャリア受信電力測定部１５によって測定された受信電力とがサブキャリア受信電力比較部１６によって比較される（ステップＳ５）。
【００５４】
次に、サブキャリア受信電力比較部１６による比較結果ＲＬ、ＲＨが閾値ＴＨより大きいか否かが干渉波検出部１７によって判断される（ステップＳ６）。ここで、比較結果ＲＬ、ＲＨの少なくとも一方が閾値ＴＨより大きいと判断された場合には、干渉波検出部１７によって干渉波があると判断され（ステップＳ７）、干渉波回避処理が実行される（ステップＳ８）。一方、比較結果ＲＬ、ＲＨの双方が閾値ＴＨより大きくないと判断された場合には、干渉波検出部１７によって干渉波がないと判断される（ステップＳ９）。
【００５５】
このように、本発明の第１の実施の形態としての無線受信装置１は、データサブキャリアの一部における受信電力と、ガードサブキャリアにおける受信電力との比較結果ＲＬ、ＲＨに基づいて、受信対象の周波数帯のガードサブキャリアに隣接する周波数帯を用いた無線通信の干渉波を検出するため、従来のものより短時間で、隣接する周波数帯域を用いてデータの送信を行う他の無線通信装置との電波干渉を精度よく検出することができる。
【００５６】
なお、本実施の形態において、干渉波検出部１７は、第１および第２の各比較結果ＲＬ、ＲＨを予め定められた１つの閾値ＴＨと比較し、この比較結果に応じて干渉波回避処理を実行するものとして説明したが、本発明において、第１および第２の各比較結果ＲＬ、ＲＨを予め定められた２つの閾値ＴＨ１、ＴＨ２と比較し、この比較結果に応じて干渉波回避処理を実行するようにしてもよい。
【００５７】
例えば、干渉波検出部１７は、比較結果ＲＬ、ＲＨの少なくとも一方が閾値ＴＨ２（＞ＴＨ１）よりも大きいと判断した場合には、上位レイヤに対して、ホッピングパターンを他のものに切り換えるよう要求する一方で、比較結果ＲＬ、ＲＨの双方が閾値ＴＨ２よりも大きくないと判断し、かつ、比較結果ＲＬ、ＲＨの少なくとも一方が閾値ＴＨ１よりも大きいと判断した場合には、復調部２１に対して、復調処理を電波干渉に強いものに切り換えるよう要求するようにしてもよい。
【００５８】
（第２の実施の形態）
本発明の第２の実施の形態としての無線受信装置３０は、図３に示すように、本発明の第１の実施の形態としての無線受信装置１に対して、比較結果蓄積部３１をさらに設け、干渉波検出部１７に代えて干渉波検出部３７を設けた点が相違する。
【００５９】
比較結果蓄積部３１は、メモリ等の記憶媒体によって構成され、低域側のガードサブキャリアおよび高域側のガードサブキャリアに対して、サブキャリア受信電力比較部１６による比較結果ＲＬ、ＲＨをそれぞれ蓄積するようになっている。
【００６０】
干渉波検出部３７は、比較結果蓄積部３１に蓄積された比較結果ＲＬ、ＲＨに基づいて、受信対象の周波数帯のガードサブキャリアに隣接する周波数帯を用いた無線通信の干渉波を検出するようになっている。
【００６１】
具体的には、干渉波検出部３７は、比較結果蓄積部３１に蓄積された各比較結果ＲＬ、ＲＨが閾値ＴＨより大きくなった回数の少なくとも一方が予め定められた閾値ＴＨＣを超えたか否かに基づいて、受信対象の周波数帯のガードサブキャリアに隣接する周波数帯を用いた無線通信の干渉波を検出するようになっている。なお、本実施の形態において、閾値ＴＨＣは、４とする。
【００６２】
例えば、高域側のガードサブキャリアに対して、サブキャリア受信電力比較部１６による比較結果ＲＨと、比較回数（すなわち、シンボル数）とが図４に示すような関係にあった場合には、閾値ＴＨより大きくなった回数が５回目となる１２回目の比較結果ＲＨが比較結果蓄積部３１に蓄積されたときに、干渉波検出部３７は、高域側のガードサブキャリアに隣接する周波数帯を用いた無線通信の干渉波を検出したと判断する。
【００６３】
干渉波検出部３７は、干渉波があると判断した場合には、復調部２１または上位レイヤに対して、干渉波を回避させる干渉波回避処理を実行するようになっている。なお、干渉波回避処理は、本発明の第１の実施の形態としての無線受信装置１の干渉波検出部１７によって実行される干渉波回避処理と同様である。
【００６４】
以上のように構成された無線受信装置３０について図５を用いてその動作を説明する。
【００６５】
まず、アンテナ１０を介して、ＲＦ信号がＲＦ部１１に受信されると（ステップＳ２１）、ＲＦ信号がＲＦ部１１によって増幅され、Ｉ信号およびＱ信号からなるベースバンド信号に変換される（ステップＳ２２）。このベースバンド信号は、ＡＤＣ１２によってディジタルの信号に変換され、ＦＦＴ部２０によってシンボル毎に複数のサブキャリアに変換される（ステップＳ２３）。
【００６６】
この複数のサブキャリアのうち、一部のデータサブキャリアにおける受信電力がデータサブキャリア受信電力測定部１４によって測定される一方で、ガードサブキャリアにおける受信電力がガードサブキャリア受信電力測定部１５によって測定される（ステップＳ２４）。
【００６７】
次に、データサブキャリア受信電力測定部１４によって測定された受信電力と、ガードサブキャリア受信電力測定部１５によって測定された受信電力とがサブキャリア受信電力比較部１６によって比較される（ステップＳ２５）。
【００６８】
ここで、サブキャリア受信電力比較部１６によって比較された結果ＲＬ、ＲＨは、比較結果蓄積部３１に蓄積される（ステップＳ２６）。
【００６９】
次に、比較結果蓄積部３１に蓄積された各比較結果ＲＬ、ＲＨが閾値ＴＨより大きくなった回数の少なくとも一方が閾値ＴＨＣを超えたか否かが干渉波検出部３７によって判断される（ステップＳ２７）。
【００７０】
ここで、比較結果蓄積部３１に蓄積された各比較結果ＲＬ、ＲＨが閾値ＴＨより大きくなった回数の少なくとも一方が閾値ＴＨＣを超えたと判断された場合には、干渉波検出部３７によって干渉波があると判断され（ステップＳ２８）、干渉波検出部３７によって、干渉波回避処理が実行される（ステップＳ２９）。
【００７１】
一方、比較結果蓄積部３１に蓄積された各比較結果ＲＬ、ＲＨが閾値ＴＨより大きくなった回数の少なくとも一方が閾値ＴＨＣを超えていないと判断された場合には、干渉波検出部３７によって干渉波がないと判断される（ステップＳ３０）。
【００７２】
このように、本発明の第２の実施の形態としての無線受信装置３０は、データサブキャリアの一部における受信電力と、ガードサブキャリアにおける受信電力との比較結果ＲＬ、ＲＨを蓄積し、蓄積した比較結果ＲＬ、ＲＨに基づいて、受信対象の周波数帯のガードサブキャリアに隣接する周波数帯を用いた無線通信の干渉波を検出するため、隣接する周波数帯域を用いてデータの送信を行う他の無線通信装置との電波干渉をノイズやフェージングの影響によって誤検出してしまうことを防止することができる。
【００７３】
なお、本実施の形態においては、干渉波検出部３７が、受信対象の周波数帯のガードサブキャリアに隣接する周波数帯を用いた無線通信の干渉波を検出するときに、比較結果蓄積部３１に蓄積された各比較結果ＲＬ、ＲＨが閾値ＴＨより大きくなった回数の少なくとも一方が閾値ＴＨＣを超えたか否かを判断する例について説明したが、本発明において、干渉波検出部３７は、予め定められたシンボル数の期間で比較結果蓄積部３１に蓄積された各比較結果ＲＬ、ＲＨが閾値ＴＨより大きくなった回数の少なくとも一方が前記第２の閾値ＴＨＣを超えたか否かを判断するようにしてもよい。
【００７４】
また、本発明において、干渉波検出部３７は、比較結果蓄積部３１に蓄積された各比較結果ＲＬ、ＲＨの平均値が予め定められた閾値ＴＨＭより大きくなったか否かに基づいて、受信対象の周波数帯のガードサブキャリアに隣接する周波数帯を用いた無線通信の干渉波を検出するようにしてもよい。
【図面の簡単な説明】
【００７５】
【図１】本発明の第１の実施の形態としての無線受信装置のブロック図である。
【図２】本発明の第１の実施の形態としての無線受信装置の動作を説明するためのフローチャートである。
【図３】本発明の第２の実施の形態としての無線受信装置のブロック図である。
【図４】本発明の第２の実施の形態としての無線受信装置を構成するサブキャリア受信電力比較部による比較結果とシンボル数との関係を示すグラフである。
【図５】本発明の第２の実施の形態としての無線受信装置の動作を説明するためのフローチャートである。
【図６】ＭＢ−ＯＦＤＭにおけるバンドの分割を示す概念図である。
【図７】ＭＢ−ＯＦＤＭにおけるホッピングパターンによって使用されるバンドの一例を示す概念図である。
【図８】ＭＢ−ＯＦＤＭにおけるホッピングパターンによって使用されるバンドの他の一例を示す概念図である。
【図９】ＭＢ−ＯＦＤＭの１シンボルにおける各サブキャリアの周波数領域における配置を示す概念図である。
【図１０】図９に示す周波数領域の低域側と高域側を拡大した状態を示す概念図である。
【図１１】無線受信装置がバンド＃２で受信しているときの受信スペクトラムの一例を示すグラフである。
【符号の説明】
【００７６】
１、３０  無線受信装置
１０  アンテナ
１１  ＲＦ部
１２  ＡＤＣ
１３  ベースバンド部
１４  データサブキャリア受信電力測定部
１５  ガードサブキャリア受信電力測定部
１６  サブキャリア受信電力比較部
１７、３７  干渉波検出部
２０  ＦＦＴ部
２１  復調部
３１  比較結果蓄積部
【図１】
2010141557.tif 000003
【図２】
2010141557.tif 000004
【図３】
2010141557.tif 000005
【図４】
2010141557.tif 000006
【図５】
2010141557.tif 000007
【図６】
2010141557.tif 000008
【図７】
2010141557.tif 000009
【図８】
2010141557.tif 000010
【図９】
2010141557.tif 000011
【図１０】
2010141557.tif 000012
【図１１】
2010141557.tif 000013